【事件の表示】
　特願２００６−５０３２０７「医療装置接続方法およびシステム」拒絶査定不服審判事件〔平成１６年　８月１９日国際公開、ＷＯ２００４／０７０５５７、平成１８年　９月１４日国内公表、特表２００６−５２０９４９〕について、次のとおり審決する。
【結　論】
　本件審判の請求は、成り立たない。
【理　由】
第１　手続の経緯
　本願は，平成１６年１月３０日（パリ条約による優先権主張　平成１５年２月１日　米国）を国際出願日とする特許出願であって，平成２１年７月１３日付けの拒絶理由通知に対して，平成２１年１０月１５日に意見書の提出とともに手続補正がなされ，平成２２年６月１６日付けの拒絶査定に対して平成２２年１０月１４日に審判請求がなされるとともに手続補正がなされ，平成２４年４月２３日付けの当審の審尋に対して平成２４年７月４日に回答書が提出され，平成２４年１１月２６日付けで当審より拒絶理由を通知したところ，平成２５年２月２６日に意見書の提出とともに手続補正がなされたものである。 
 　 
第２　本願発明について
　本件出願の発明は，平成２５年２月２６日の手続補正で補正された特許請求の範囲の請求項１〜２０に記載された事項により特定されるとおりのものであり，特許請求の範囲の請求項１に係る発明（以下「本願発明」という。）は，以下のとおりである。
「第１のネットワークに接続され，ディスプレイを有する端末装置と，
　該第１のネットワークに接続される複数の医療装置であって，通信が該複数の医療装置のうちの１つによって開始され，該第１のネットワーク上に転送され，該通信が該複数の医療装置のうちの該１つのために少なくとも１つの状況情報およびプログラミング情報を有する，複数の医療装置と，
　該第１のネットワークに接続される第１のサーバと，
　該複数の医療装置と該第１のサーバとに接続されるハブであって，該複数の医療装置は，該第１のサーバと通信し，かつ，該ハブを介して第２のサーバから分離されているハブと，
　第２のネットワークを介して該第１のサーバと通信する該第２のサーバであって，該複数の医療装置と該端末装置とは，該第１のサーバと通信し，ここで，該第２のサーバが，該ハブと，該第２のネットワークと，該第１のサーバと，該第１のネットワークとを介して，該複数の医療装置と該端末装置とから分離されている第２のサーバと
　を備え，
　該端末装置による要求と，イベントの発生とのうちの少なくとも一つに応じて，第１のメッセージが該第１のサーバにより作成され，該第１のネットワーク上に転送され，該第１のメッセージが，該複数の医療装置のうちの該１つにより開始される通信中に含まれる該状況情報または該プログラミング情報の少なくとも一部を備え，ここで，該第１のメッセージの少なくとも一部が，人間が読み取り可能な形式で該ディスプレイ上に提供され，
　第２のメッセージが該第２のサーバによって作成され，該第２のメッセージが，少なくとも部分的に，該第１のサーバからの要求に応じて作成され，該メッセージが，該第２のネットワーク上で該第１のサーバに送信され，該第１のネットワーク上で少なくとも該端末装置に送信される，システム。」
 　 
第３　当審における拒絶の理由について
　当審における平成２４年１１月２６日付けで通知した拒絶理由の概要は，以下のとおりである。  
＜＜サポート要件について＞＞ 
『【第１】【発明の明確性・サポート要件・実施可能要件について】 
【Ａ】この出願は，特許請求の範囲の記載が下記の点で，特許法第３６条第６項第１号及び第２項に規定する要件を満たしていない。 
　　　　　　　　　　　　　　　記 
１．請求項１発明について。 
（途中略）
　＜（ａ）の情報処理と（ｂ）の情報処理との関係について。＞ 
（３６条６項２号，３６条６項１号） 
（途中略）
　＜（ｂ）の情報処理について。＞　 
（３６条６項１号：サポート要件） 
（９）さらに，（ｂ）の情報処理が，発明の詳細な説明のいずれの実施例に対応するものであるのか，明確ではない。
（途中略）
以上１．（１）〜１．（９）のことから，請求項１発明は，特許法３６条６項１号及び２号に規定される要件を満たしていない。』
　ここで，（ａ）の情報処理とは，「該端末装置による要求と，イベントの発生とのうちの少なくとも一つに応じて，第１のメッセージが該第１のサーバにより作成され，該第１のネットワーク上に転送され，該第１のメッセージが，該複数の医療装置のうちの該１つにより開始される通信中に含まれる該状況情報または該プログラミング情報の少なくとも一部を備え，ここで，該第１のメッセージの少なくとも一部が，人間が読み取り可能な形式で該ディスプレイ上に提供される」との発明特定事項であり，（ｂ）の情報処理とは，「第２のメッセージが該第２のサーバによって作成され，該第２のメッセージが，少なくとも部分的に，該第１のサーバからの要求に応じて作成され，該メッセージが，該第２のネットワーク上で該第１のサーバに送信され，該第１のネットワーク上で少なくとも該端末装置に送信される」との発明特定事項である。
＜＜進歩性について＞＞ 
『【第２】【進歩性について】 
　この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。 
 　　　　　　　　　　　　　　　　記 
　仮に，前記「【第１】【Ａ】１．」で指摘したように，「（ａ）の情報処理」と「（ｂ）の情報処理」とが，それぞれ独立して処理するものであって，両者が何ら連携するものではないとすると，請求項１発明は，以下の理由で進歩性を有しない。 
 　　　　　　　　　　　＜引用文献等一覧＞ 
 ・引用例：ＷＯ２００１／０８８８２８ 
 （特表２００４−５１９０２０号参照） 
 ・請求項１　 
 ・引用例１　 
（以下略）』
　  
第４　サポート要件についての当審の判断
　審判請求人は，当審の拒絶理由の「【第１】【Ａ】１．」の「＜（ａ）の情報処理と（ｂ）の情報処理との関係について。＞ 」の指摘に対し，（ａ）の情報処理と（ｂ）の情報処理とが，それぞれ独立して処理するものであって，両者が何ら連携するものではないこと，さらに本願明細書の【００１７】【００１８】段落の記載を根拠として，本願発明は，発明の詳細な説明の記載でサポートされており，また明確でもある旨を主張する。（平成２５年２月２６日の意見書の６ページ６行〜３８行）
　そこで，当審の拒絶理由の【第１】【Ａ】の「＜（ｂ）の情報処理について。＞」で指摘した，「（ｂ）の情報処理が，発明の詳細な説明のいずれの実施例に対応するものであるのか，明確ではない。」との指摘事項について，審判請求人が主張する根拠を含めて，以下に検討する。　
　
１．ｂの発明特定事項が，発明の詳細な説明に記載されているかについて
（１）「技術分野」，「発明の背景」，「発明の概要」，「図面の簡単な説明」，及び「詳細な説明」に関する記載について
　【０００２】〜【００１０】段落には，図１を参照して患者医療システム１００に関する記載がなされるものの，ｂの発明特定事項は記載されていない。
（２）「システム全体」に関する記載について
　【００１１】段落には，図３を参照して注入ポンプである医療機器１２０，ハブ１０７及び中央コンピュータシステム１０８に関して記載されるものの，ｂの発明特定事項は記載されていない。
（３）「システム全体の通信ハブ」に関する記載について
　【００１２】〜【００１４】段落には，ハブ１０７が臨床家のデジタルアシスタント１１８上でポンプ状態を閲覧可能とすること，薬局入力オーダのポンプ設定値との比較を可能とすること，そしてアラートを中央コンピュータシステム１０８とサーバ１０９に伝達し最終的に臨床家１１６に伝送することが記載されるものの，ｂの発明特定事項は記載されていない。
（４）「システム全体のアクセスポイント」に関する記載について
　【００１５】段落には，ポンプ，ハブ，アクセスポイント，及びネットワークに関する記載があるものの，ｂの発明特定事項は記載されていない。
（５）「中央システムサーバ／システム全体のコンピュータ」に関する記載について
　審判請求人が根拠として主張する箇所である【００１７】【００１８】段落を含む，【００１６】〜【００８１】段落の記載について，以下，順次検討する。
（ア）【００１６】段落には，中央システム１０８が，第１の中央サーバ又は中央コンピュータ１０９及び第２の中央サーバ若しくは中央コンピュータ１０８ａを含み，第１の中央サーバ１０９と第２の中央サーバ１０８ａ間の通信用に，別個の通信システム１０３を備え，通信システム１０３が孤立したポイントツーポイントシステム接続であるために，２台のサーバ１０９，１０８ａ間で通信されるデータは通常，暗号化されないこと，２台のサーバ１０９及び１０８ａ間の通信システムは，双方向通信を可能にすることが記載されるものの，ｂの発明特定事項は記載されていない。
（イ）
審判請求人が根拠とする
　（ａ）第１の中央サーバ又はコンピュータ１０９は，第１のデータベース，及び医療機器並びにユーザインターフェースに関連するデータ及び機能に関連付けられた第１の機能的特徴のセットを有すること。
　（ｂ）医療機器１２０及びユーザインターフェース１１８は通常，第１の中央コンピュータ１０９と直接通信すること。
　（ｃ）第２の中央サーバ又は中央コンピュータ１０８ａは，第２のデータベース及び第２の機能的特徴のセットを有すること。
　（ｄ）第１の中央コンピュータ１０９は，第２のコンピュータ１０８ａに暗号化接続されており，医療機器１２０及びユーザインターフェース１１８は，第２の中央コンピュータ１０８ａとは直接的に通信しないこと。
　（ｅ）ユーザインターフェース１１８は，第１の中央コンピュータ１０９を介して，第２の中央コンピュータ１０８ａの第２の機能的特徴のセットに関連する第２のデータベースからデータを受信することができること。
　（ｆ） 第２の中央サーバ１０８ａ及びそのソフトウェアサブシステムは通常，薬局のシステムとインターフェースをとり，薬物，患者に関する情報を提供し且つ看護師及び他の臨床家に標準的なワークフローを提供すること。
　（ｇ）第２の中央サーバ１０８ａも，第１の中央サーバ１０９とインターフェースをとり，患者，看護師，臨床家，オーダ，及びデジタルアシスタント１１８と臨床家との間の関連性に関する情報を提供すること。
　（ｈ）第２の中央サーバ１０８ａの他の機能の幾つかには，患者管理，項目管理，施設管理，メッセージング，報告／グラフ作成，及び他のシステムへの種々のインターフェースを含めることができること。
（ウ）上記（イ）の（ａ）〜（ｇ）の記載から，【００１７】，【００１８】段落には，
　（ｉ）ユーザインターフェース１１８は第１の中央コンピュータ１０９と直接通信し，第１の中央コンピュータ１０９は，第２のコンピュータ１０８ａに暗号化接続され，
　（ｉｉ）ユーザインターフェース１１８は，第１の中央コンピュータ１０９を介して，第２の中央コンピュータ１０８ａの第２の機能的特徴のセットに関連する第２のデータベースからデータを受信し，
　（ｉｉｉ）第２の中央サーバ１０８ａは薬局のシステムとインターフェースをとり，薬物，患者に関する情報を提供し且つ看護師及び他の臨床家に標準的なワークフローを提供するものであり，第２の中央サーバ１０８ａも，第１の中央サーバ１０９とインターフェースをとり，患者，看護師，臨床家，オーダ，及びデジタルアシスタント１１８と臨床家との間の関連性に関する情報を提供することが記載されている。
（エ）【００１７】，【００１８】段落の記載を，以上（イ）（ウ）のとおり整理したうえで，ここで
審判請求人の主張を参酌
　
審判請求人の主張
「すなわち，第１の中央コンピュータ１０９が，第２のコンピュータ１０８ａに暗号化接続されており，医療機器１２０およびユーザーインターフェース１１８は，直接的には第２の中央コンピュータ１０８ａとは通信しないものです。さらに，第１の中央サーバーまたはコンピューター１０９は，医療機器およびユーザーインターフェースに関連するデータおよび機能に関連する，第１のデータベースおよび第１の機能的特徴のセットを有するものです。他方，第２の中央サーバーまたはコンピュータ１０８ａは，たとえば，医薬品および患者に関する情報を薬局システムに提供し，そして，代表的なワークフローを看護師および他の臨床家に提供するインターフェースを有する第２のデータベースおよび第２の機能的特徴のセットを有するものです。したがって，情報処理（ａ）および情報処理（ｂ）との間にはなんら共同的な処理はありません。むしろ，本願発明では，第２のサーバーは，第１のサーバーによるリクエストに応じて第１のサーバーに時々メッセージを送信するものです。」
（オ）
審判請求人の上記（エ）の主張を参酌しても
　・「ユーザインターフェース１１８」は，「第１の中央コンピュータ１０９」を介して，「第２の中央コンピュータ１０８ａ」の第２の機能的特徴のセットに関連する第２のデータベースからデータを受信すること，
　・「第２の中央サーバ１０８ａ」は，「看護師及び他の臨床家」に標準的なワークフローを提供すること，
　・「第２の中央サーバ１０８ａ」は，「第１の中央サーバ１０９」とインターフェースをとり，患者，看護師，臨床家，オーダ，及びデジタルアシスタント１１８と臨床家との間の関連性に関する情報を提供すること，
が記載されているものの，ｂの発明特定事項は記載されていない。
（カ）【００１９】〜【００２２】段落には，第２の中央サーバ１０８ａの他の機能である，患者管理，項目管理，施設管理，メッセージングについて記載されており，メッセージングは薬剤師と臨床家との通信リンクの機能を第２の中央サーバ１０８ａが提供すること，第２の中央サーバが投与量不足の通知を自動的に送信すること，報告はシステム２１０の権限を有するユーザの要求に応じるものであることなどが記載されるものの，ｂの発明特定事項は記載されていない。
（キ）【００２３】段落には，「第２の中央サーバ１０８ａ」の，ＡＤＴインターフェース，請求書発行インターフェース，個別結果インターフェース，文書結果インターフェース，処方集インターフェース，薬局オーダインターフェース，ポイントオブケア投薬管理インターフェース及び在庫インターフェースに関する記載があり，検査結果が第２の中央サーバ１０８ａ内に保存されれば，ユーザは，ハンドヘルド装置１１８から観察することができることなどが記載されるものの，ｂの発明特定事項は記載されていない。
（ク）【００２４】段落には，「第１の中央サーバ１０９」が，「複数のハブ１０７，複数のデジタルアシスタント又はユーザインターフェース１１８を往復し，且つ第２の中央サーバ１０８ａと共にデータを送受信するためにロード及び設定されたソフトウェアを有する」ことが記載されており，具体的には，
　・サーバ１０８ａから受信した処方パラメータをハブ１０７システムから受信した該当するプログラムされたポンプ設定と比較する機能，
　・通知及びメッセージをデジタルアシスタント１１８へ中継する機能，
　・ハブ１０７システムから受信したアラーム情報及びアラート情報を適切なデジタルアシスタント１１８へ中継する機能，
　・サーバ１０８ａから通信された薬局情報及び患者情報を適切なデジタルアシスタント１１８へ中継する機能，
　・ポンプ状態データ及びアラーム監視データを集約し且つこのデータを定期的にサーバ１０８ａへ中継する機能，
が記載されるものの，ｂの発明特定事項は記載されていない。
（ケ）【００２５】〜【００２８】段落には，「医療機器１２０又は他の装置及び機能性と第１と第２の中央コンピュータ１０９，１０８ａにおける病院情報システムとの費用効率の高い統合が，患者の安全特定情報などの上述した総データのサブセットを分離すること，並びにそのような情報及び機能性をシステムの妥当性確認済み／検証済み部分に置くこと（に）よってもたらされる」ことが記載されており，「妥当性確認済み部分は，第１の中央コンピュータ１０９内に置かれ，一実施形態では，サブセットは、注入ポンプによって生成されたアラーム及び／又はアラート並びに／若しくは医療機器１２０／注入ポンプ１２０／制御装置１２０のプログラミング情報又は運転パラメータ情報を含むことができ，このサブセットは，分離されて第１の中央コンピュータ１０９内の本システムの妥当性確認済み部分に置かれ」ること，「全データの残りの部分は，第２の中央コンピュータ１０８ａ内の妥当性が確認されていない部分のデータベース内に保持」されること，「第１の中央コンピュータ１０９に置かれた妥当性確認済みデータベース及び第２の中央コンピュータ１０８ａに置かれた妥当性が確認されていないデータベースは，ウェブサービスレプリケーションを用いて同期して保持」されること，「代替的実施形態は，１台のコンピュータ上に常駐する本システムの妥当性確認済み部分及び妥当性未確認部分の両方並びにソフトウェアファイアウォールによって分離された機能性を含むことができる」ことなど，妥当性確認済みの「第１の中央コンピュータ１０９」のデータベースと，妥当性が確認されていない「第２の中央コンピュータ１０８ａ」のデータベースとに関することなどが記載され，さらに，第１の中央コンピュータが，データ記憶パッケージを含むデータベースすなわち第１のデータベースを含み，第１のデータベースは，第１の中央コンピュータ１０９の外部又は内部に置いてよく，第１のデータベース内のデータテーブルは，「ユースケース」内で使用されることなどが記載されるものの，ｂの発明特定事項は記載されていない。
　なお，「ユースケース」については，後記の「（２２）」で検討する。
（コ）【００２９】〜【００３５】段落には，各サブシステムに分割できる患者医療システム１００とハブサブシステムについて記載され，ここで【００３０】段落に，あらためて，「第２の中央コンピュータサブシステム」が，「薬局のシステムとインターフェースをとり，薬物，患者及び標準的な看護師ワークフローに関する情報を提供」するものであり，「第２の中央コンピュータは，第１の中央コンピュータサブシステムとインターフェースをとり，第１の中央コンピュータに，患者，看護師，オーダ，及びパーソナルデジタルアシスタントと看護師又は臨床家との間の関連に関する情報を提供する」ことが記載されるものの，これは前記【００１７】【００１８】段落の記載を超えるものではなく，また，【００３１】段落には「妥当性確認済み環境と妥当性確認済みでない環境」とに関する記載があるものの，これは【００２５】〜【００２８】段落の記載を超えるものではないことから，ｂの発明特定事項は記載されていない。
（サ）【００３６】〜【００８２】段落には，サーバ等のＯＳや通信等インタフェースのプロトコル等に関する記載があり，【００４１】段落には，「第１の中央コンピュータ」が，「ＤａｔａｂａｓｅＲｅｆｒｅｓｈＬｉｓｔｅｎｅｒ受信インターフェース及びＤａｔａｂａｓｅＲｅｆｒｅｓｈＬｉｓｔｅｎｅｒ送信インターフェース」，「ＲｏｕｔｅＰＤＡ受信インターフェース並びにＲｏｕｔｅＰＤＡ送信インターフェース」，及び「ＰｕｍｐＤａｔａＬｉｓｔｅｎｅｒ受信インターフェース」を有することが記載されている。
（シ）ここで，【００６３】段落に，「ＲｏｕｔｅＰＤＡチャネル」が，「第１の中央コンピュータ１０９によって用いられ，ＰＤＡサブシステムから発信されたＨＴＴＰ要求メッセージを第２の中央コンピュータ１０８ａへルーティングし，次いで第２の中央コンピュータから対応するＨＴＴＰ応答メッセージを受信し，該当する場合には処理し，次いで，発信元のパーソナルデジタルアシスタント１１８へルートバックする」ことが記載されているものの，この「ＲｏｕｔｅＰＤＡチャネル」は，「第１の中央コンピュータ１０９」が，「ＰＤＡサブシステムから発信されたＨＴＴＰ要求メッセージを第２の中央コンピュータ１０８ａへルーティング」し，「ＨＴＴＰ応答メッセージを発信元のパーソナルデジタルアシスタント１１８へルートバック」するものであるから，ｂの発明特定事項を記載したものではない。
　これは，【００６５】段落に，「ＨＴＴＰ要求メッセージは，第１の中央コンピュータ１０９を通じて処理されることなく，第２の中央コンピュータ１０８ａへ転送されるのが好ましい。次いで，第２の中央コンピュータ１０８ａが，ＸＭＬ形式の情報又はＨＴＭＬ形式の情報を含むＨＴＴＰ応答メッセージを発行する。ＨＴＭＬ形式の応答メッセージは，更に処理されることなく，第１の中央コンピュータ１０９を通じてパーソナルデジタルアシスタント１１８へルーティングされる。」と記載されていること，その他，【００６９】〜【００７１】段落の記載からも確認される。
（ス）なおここで，【００３８】段落には，「第１の中央コンピュータサブシステムは，複数のハブ１０７，複数のデジタルアシスタント１１８，及びサーバ１０８ａを備える第２の中央コンピュータサブシステムを往来してデータを送受信するためにロードされ且つそのように設定されたソフトウェアアプリケーションを有するサーバ１０９で構成されるのが好ましい。」と記載され，ｂの発明特定事項の処理をなし得る環境とすることが記載されているとも考えられるものの，ｂの発明特定事項は記載されない。
（セ）また，【００４０】段落には，「第１の中央コンピュータ１０９」が，
　１）第２の中央コンピュータサブシステムから受信した処方パラメータの，ハブサブシステムから受信した該当するプログラムされたポンプ設定値との比較，及び／又はポンプのプログラミング，
　２）適切なパーソナルデジタルアシスタント１１８への，ハブサブシステムから受信したアラーム情報並びにアラート情報の中継，
　３）適切なパーソナルデジタルアシスタント１１８への，ポンプ状態及び流速の履歴情報の提供，
　４）適切なパーソナルデジタルアシスタント１１８への，第２の中央コンピュータ１０８ａから通信された薬局情報並びに患者情報の中継，
　５）ポンプ監視データ並びにアラーム監視データのコンパイル及び第２の中央コンピュータ１０８ａへのこのデータの定期的中継
を含む幾つかの機能を実行することが記載されているものの，上記「４）」の記載事項は，前記，【００１７】【００１８】段落の記載などを超えるものではなく，ｂの発明特定事項を記載したものではない。
（ソ）また，【００７７】段落以降には「ＰｕｍｐＤａｔａＬｉｓｔｅｎｅｒ」に関する記載があるものの，ｂの発明特定事項は記載されていない。
（タ）その他，「ＤａｔａｂａｓｅＲｅｆｒｅｓｈＬｉｓｔｅｎｅｒ」に関する記載の全体をみても，ｂの発明特定事項は記載されていない。
（６）「臨床家のハンドヘルド装置との通信」に関する記載について
　【００８２】〜【００９１】段落には，「デジタルアシスタント１１８」が「中央システム１０８」と通信すること，「サーバ１０９及び１０８ａの両方からメッセージを受信」し，「モジュール又はアプリケーション」は「自動的にダウンロード」されること，「デジタルアシスタント１１８に向けられたポンプアラーム及びポンプアラートのような新たなイベントに関して第１の中央コンピュータ１１９に問い合わせを行う」こと，「何らかの新たなイベントが発生していた場合，第１の中央コンピュータがこの情報をデジタルアシスタント１１８に提供し，表示用専用フレーム内に表示」されることが記載されるものの，ｂの発明特定事項は記載されていない。
（７）「患者医療システム」に関する記載について
　【００９２】〜【００９４】段落には，図１を参照して患者医療システム１００に関する記載があるものの，ｂの発明特定事項は記載されていない。
（８）「注入システムの概要」に関する記載について
　【００９５】〜【０１２６】段落には，患者医療システム１００内の注入システム２１０に関するものであって，患者医療システム１００が第２の中央サーバ１０８ａと連動することが記載されているものの，ｂの発明特定事項は記載されていない。
（９）「本システムのシステムハードウェア／ソフトウェアアーキテクチャ」に関する記載について
　【０１２７】〜【０１３８】段落には，図２を参照して，各サブシステム内のコンピュータ２００について記載されるものの，ｂの発明特定事項は記載されていない。
（１０）「患者医療システムの構成要素」に関する記載について
（ア）【０１３９】〜【０１５７】段落には，患者医療システム１００の機能要素を示す第１のブロック図である図４を参照して，投薬管理モジュール３０２，処方箋作成モジュール３０４，処方箋起動モジュール３０６，及び処方箋認証モジュール３０８に関するものであって，投薬管理モジュール３０２に関し，患者のデータをサブモジュールであるＡＤＴインターフェース３１０を介して第２の中央コンピュータ１０８ａ内に転送すること，臨床家１１６はパーソナルデジタルアシスタントなどでデータを入力すること，注入オーダに対して調整及び変更ができること，処方許可モジュール３０８で臨床家１１６が単独で注入オーダを修正する権限を有するか否かを判定すること，臨床家１１６は，臨床家１１６のバッジ１１６ａ，患者のリストバンド１１２ａ，及び薬剤ラベル１２４ａをデジタルアシスタント１１８で読み取り，デジタルアシスタント１１８は，中央システム１０８によってなされた判定に基づいて，薬剤ラベル１２４ａ及びリストバンド１１２ａが同一の患者１１２に対応しているか否かを報告し，システム１００は，薬局のコンピュータ１０４へ，薬剤識別子を送り，薬局のコンピュータ１０４は，薬剤ラベル１２４ａを確認し，オーダと同一の患者を特定し，注入ポンプへ運転パラメータを送り，運転パラメータ用いて注入ポンプをプログラムし，患者１１２に薬剤１２４が投与されることが記載されており，処方入力から患者へ薬剤が投与されるまでの情報の流れが開示されるものの，ｂの発明特定事項は記載されていない。
（イ）【０１５８】〜【０１６４】段落には， 注入システム２１０を実行するためのコンピュータ画面４００の例示的なブロック図である図５を参照して，処理領域４０２，探索領域４０４，薬剤情報領域４０６，滴定／漸減基準領域４０８，指示・注記領域４１０，及び予測解領域４１２に関して記載されるものの，ｂの発明特定事項は記載されていない。
（１１）「注入システムの構成要素」に関する記載について
（ア）【０１６６】〜【０１７９】段落には，図６を参照して，注入システム２１０の機能要素を示すブロック図に関して記載され，ブロック５０２でシステムパラメータを設定し，ブロック５０４で注入オーダが作成され，ブロック５０６で注入オーダが準備され，ブロック５０８で薬局が許可し，ブロック５１０で医師が許可し，ブロック５１２で薬剤が投与され，ブロック５１４で注入オーダが修正され，ブロック５１６でオーダが停止され，ブロック５１８で在庫・請求書が発行されるまでの処理の流れが開示されるものの，ｂの発明特定事項は記載されていない。
（イ）特に，【０１７６】段落には，医師が新たなオーダを入力すると，薬局にメッセージが現れ，注入オーダに許可が必要であることを薬剤師に知らせること，注入オーダが適切に許可されると，臨床家１１６は，デジタルアシスタント１１８上に，注入オーダを注入スケジュール７０４に従って処理すべきであると臨床家１１６に知らせるメッセージを受け取ること，【０１７７】段落には，パーソナルコンピュータディスプレイは，臨床家の患者に関する未解決の臨床上の問題点を要約したビューを提供すること，臨床家１１６は，患者に関する詳細な情報を迅速に取り出すことができこと，特定の重篤な患者状態がある場合に，デジタルアシスタント１１８又は他の通信装置に対して電子メール若しくはページを生成することが記載されるものの，ｂの発明特定事項は記載されていない。
（ウ）【０１８０】〜【０１９９】段落には，図６のシステムパラメータ設定５０２用機能要素を示すブロック図である図７を参照して，許容範囲設定５４２，デフォルト値設定５４４，データベース構築５４６，関数定義５４８，及びシステム設定値決定５５０を含むことが記載されるものの，ｂの発明特定事項は記載されていない。
（１２）「オーダ作成」に関する記載について
　【０２００】〜 【０２１０】段落には，注入オーダ作成５０４用の機能要素を示すブロック図である図８を参照して，５６０で情報入力し，５６２で計算し，５６４でチェックし，５６８でオーバーライドすること，注入オーダ作成５０４中の薬剤１２４の探索の際に，臨床家１１６の注入オーダ作成を支援すること，薬局が，パラメータに対するデフォルト値を提供すること，臨床家が許容範囲をオーバーライドする権限を有するか否かの表示を含むことなどが記載されるものの，ｂの発明特定事項は記載されていない。
（１３）「オーダ準備」に関する記載について
　【０２１１】【０２１２】段落には，注入オーダ準備５０６用の機能要素を示すブロック図である図９を参照して，オーダの準備であって，注入オーダが注入システム２１０に入力された後，準備指示が準備場所にルーティングされること，注入オーダは，薬局，又はフロア若しくは治療場所１０６のような遠隔位置で準備することができること，臨床家１１６は，デジタルアシスタント１１８又はディスプレイを有する他の装置上に表示することのできるイベント管理情報を用いて，成分のバーコード確認を含む準備工程を通じて誘導されることが記載されており，【０２１３】段落には，薬剤ラベル１２４ａに関して記載されるものの，ｂの発明特定事項は記載されていない。
（１４）「薬剤投与」に関する記載について
（ア）【０２１４】〜【０２２４】段落には，薬剤投与５１２用の機能要素を示すブロック図である図１０を参照して，薬剤投与５１２が，薬剤バーコードの読み取り５１２ａ，患者バーコードの読み取り５１２ｂ，有効期限チェック５１２ｃの実行，滴定通知５１２ｄ，流速対点滴速度の表示５１２ｅ，「随時」注入開始５１２ｆ，運転パラメータのダウンロード５１２ｇ，及び時間監視５１２ｈを含むこと，特に【０２１６】段落には，臨床家１１６は，デジタルアシスタント１１８を用いて，流速及び他の運転パラメータをチェックすることができること，【０２１８】段落に，運転パラメータのダウンロード５１２ｇは，医療と関連付けられた患者識別子及び／又はリストバンド１１２ａから取り出した患者識別子が中心位置における医療と関連付けられた患者識別子と同一であるか否かを判定する工程を含むことができ，判定は，第１のコンピュータ，例えば第１の中央サーバ１０９によって行われることが記載されるものの，ｂの発明特定事項は記載されていない。
（イ）ここで，【０２１９】段落には，「システムプログラム２１０の１つの利点は，医療機器３３２をプログラムするのに運転パラメータを利用できるようになる前に，医療機器３３２に対する運転パラメータが，デジタルアシスタント１１８又は遠隔位置のどのような他のコンピュータも通過する必要がない点である。遠隔位置のコンピュータをバイパスすることは，患者１１２へ薬剤１２４を投与するにあたっての潜在的な過誤の源を排除する。医療機器３３２に対する運転パラメータは，様々な検証が達成されると仮定すれば，医療機器３３２へ「直接」送ることができる。この脈絡において，「直接」とは，デジタルアシスタント１１８又は遠隔位置のどのような他のコンピュータも通過することなく運転パラメータを医療機器へ送ることができることを意味する。」と記載されている。
（ウ）
審判請求人は，進歩性に係る意見ではあるが
（エ）
審判請求人の主張をみても
（１５）「オーダの文書化及び修正」に関する記載について
（ア）【０２２５】〜【０２３８】段落には，図６の注入オーダの修正であるブロック５１４に関する記載であって，【０２２９】段落には，「臨床家１１６が治療場所１０６において注入システム２１０に流速の修正１００２ｂを入力する際に，臨床家１１６は，注入スケジュール７０４を再計算して薬局に送信することを選択することもできる。」ことが記載されるものの，ｂの発明特定事項は記載されていない。
（イ）【０２３９】〜【０２４４】段落には，文書化に関する事項が記載されるものの，ｂの発明特定事項は記載されていない。
（ウ）【０２４５】〜【０２５０】段落には，パラメータの設定に関する事項が記載され，【０２４９】段落には，設定パラメータが正しく受信されなかった場合，注入システム２１０は，矛盾又は通信障害を識別するメッセージ５２０を提供すること，【０２５０】段落に，「注入システム２１０は，中央コンピュータを経由せずに機器においてなされた設定パラメータに対する変更を検出し，メッセージ及び／又はアラート５２０を送信することができる。注入システム２１０はまた，機器に，それらの設定パラメータを確認するようにポーリングすることもできる。システム及び／又は特定の設定パラメータが変化すると，該変化を，注入システム２１０において識別されたグループ分けに従ったグループに属すると本システムにおいて識別された全ての機器３３２に伝播することができる。」とのことが記載されているものの，ｂの発明特定事項は記載されていない。
（エ）【０２５１】段落には，「本書類及び関連の特許請求の範囲全体を通じて，「中心位置」及び「遠隔位置」は，互いに相対的な用語である。「遠隔位置」は，患者１１２が注入ポンプ１２０を通じて治療を受けている患者治療場所１０６のような，制御された医療機器を通じて患者が治療を受けている任意の場所である。「中心位置」は，限定するものではないが，薬局のコンピュータ１０４の位置及び中央システム１０８のような，医療機器を運転するためのパラメータにアクセス可能な，遠隔位置以外の任意の場所である。典型的な配置では，治療場所１０６などの幾つかの遠隔位置は，中心位置と連通している。」と記載されるものの，ｂの発明特定事項は記載されていない。
（オ）【０２５２】〜【０２５４】段落には，ＭＥＭＳの事例が記載されているものの，ｂの発明特定事項は記載されていない。
（１６）「ポップアップウィンドウ」に関する記載について
　【０２５５】〜【０２５９】段落には，ポップアップウィンドウを介して，１種類又はそれ以上の薬剤に関連する情報を臨床家に自動的に提供することができること，薬剤テーブルは，中央データベース１０８ｂに入力されること，遠隔位置の計算装置上での薬剤の選択又は入力が完了すると，中央システム１０８内のデータベースがアクセスを受け，該薬剤に関連付けられたポップアップウィンドウメッセージのうちの少なくとも１つが遠隔計算装置に提供されること，などが記載されるものの，ポップアップウィンドウを介して臨床家に自動的に提供される薬剤に関連する情報は，第１のサーバからの要求に対して提供されるものではないことから，ｂの発明特定事項は記載されていない。
（１７）「薬剤の投与」に関する記載について
（ア）【０２６０】〜【０２７２】段落には，例えば流束の注入オーダを修正し，流速比較をし，流速変更すること，臨床家を識別すること，そのためのバイオメトリクスのことなどが記載されるものの，ｂの発明特定事項は記載されていない。
（イ）ここで【０２６７】段落には，医療機器が制御装置を有さず，第１のサーバが直接医療機器を制御することが記載されるものの，ｂの発明特定事項は記載されていない。
（１８）「臨床家の注入システムとの対話」に関する記載について
（ア）【２７３】〜【０２８２】段落には，図１９などを参照して【０２７３】〜【０２７５】段落にログインのことが，図２２を参照して【０２７６】にシフトのことが，図２３を参照して，【０２７７】段落で患者を見ることが，図２４を参照して【０２７８】段落で患者を選択することが，図２５や図２５Ａ〜Ｃを参照して【０２７９】【０２８０】段落で患者のミニカルテ，薬歴，検査結果などを見ることが，図２６を参照して【０２８１】段落で注入スケジュールを見ることが，【０２８２】段落に，図２８を参照して投薬失敗を認識することが，図２９を参照して理由を見ることが，図３０を参照して失敗の理由を入力することが，図３１を参照して必要なしの場合のことが，それぞれ記載されるものの，ｂの発明特定事項は記載されていない。
（イ）【０２８３】〜【０２９１】段落には，図３２〜図３８を参照して，臨床家が患者に投薬等をする際のデジタルアシスタント１１８とのインタフェースについて記載されているものの，ｂの発明特定事項は記載されていない。
（１９）「機器設定値とオーダの比較」に関する記載について
（ア）【０２９２】〜【０３０３】段落には，図５２を参照して比較工程５２００について記載されており，ブロック５２０２で，患者・薬剤バッグ及びポンプチャネルをスキャンして関連するベースラインデータの関連付けを行うことから，ブロック５２３２で，不一致が受け入れられる場合にシステムデータベース１０９に記録されることまでの，一連の処理の流れが記載されているものの，これらの処理は，臨床家と第１のサーバとの通信リンクでなされる。
（イ）ここで，第２のサーバとの関係は，【０２９４】段落に，「比較工程５２００中のある時点で，第２の中央サーバ１０８ａが，患者ＩＤ及びオーダＩＤに関連するデータを含むＸＭＬメッセージを生成する。比較工程５２００に関するフローチャートに示すように，ＸＭＬデータは，ブロック５２１２に先立つ任意の地点で，ブロック５２１０に示すように，生成して第１の中央サーバ１０９に転送することができる。しかしながら，第１の中央サーバ１０９によって第２の中央サーバ１０８ａから受け取られたＸＭＬデータが無効若しくは不完全である場合，比較工程は除外され，ブロック５２１４に示すように，本システムは，比較工程が進行することを許可しない。逆に，患者ＩＤ及びオーダＩＤに関連するＸＭＬデータが完全で有効である場合，第１の中央サーバ１０９が第２の中央サーバ１０８ａからＸＭＬデータを受け取った後，比較工程５２００は，ブロック５２１２へ進む。」と記載されるのみであって，ｂの発明特定事項は記載されていない。
（ウ）さらに【０２９５】〜【０３１３】段落には，図３９〜図４４，図４８，図５０，図５１などを参照して臨床家とのインタフェースについて記載されるものの，ｂの発明特定事項は記載されていない。
（２０）「緊急事態通知工程」に関する記載について
　【０３１４】〜【０３２１】段落には，図１２〜図１４を参照して緊急事態通知システム１２００と通知用インターフェース１３００と受信用インターフェース１４００とが記載されるものの，ｂの発明特定事項は記載されていない。
（２１）「アラーム／アラート通知を含むメッセージング＆通知」に関する記載について
（ア）【０３２２】〜【０３４３】段落には，図１５〜図１８を参照して，サーバ１０９からデジタルアシスタント１１８へのアラーム又はアラートに関することが記載されている。
（イ）ここで【０３２６】段落に「通常，サーバ１０８ａは，その内部に，患者対臨床家の多対多の関連付け，及び患者対部門の関連付けを格納している。サーバ１０８ａは，これらの関連付けをサーバ１０９に伝送し，サーバ１０９は，これらの関連付けを格納する。同様に，サーバ１０８ａは，主任臨床家対部門の関連付けを，格納のためにサーバ１０９へ送信する。」と記載され，【０３２５】段落で，サーバ１０９が，「患者を第１の臨床家とも呼ばれる主臨床家に関連付ける工程（この関連付けは，中央システムサービス装置１０８ａで行うことができる）」と記載されているものの，この開示は，前記【００１７】【００１８】段落の記載を超えるものではなく，ｂの発明特定事項は記載されていない。
（２２）「例示的ユースケース」に関する記載について
　【０３４４】段落以降の「例示的ユースケース」について，以下検討する。
（ア）【０３４５】〜【０３６５】段落には，図５５Ａ〜Ｃを参照して「注入実施工程」が記載されている。
（イ）この一連の処理の流れは，ブロック５５０２で第２の中央サーバ１０８ａがデジタルアシスタント１１８に患者のリストを表示させたときに開始し，デジタルアシスタント１１８から情報を受信し，この情報を第１の中央サーバ１０９に送信し，第１の中央サーバ１０９が，チャネル識別情報が注入オーダ情報と一致することを確認し，正しい注入が開始されたことを確認する。
（ウ）ここで，図５５Ａ〜Ｃで「サーバ１」と記載される「第２の中央サーバ１０８ａ」がブロック５５０２〜５５３６の処理をなし，「サーバ２」と記載される「第１の中央サーバ１０９」がブロック５５４８〜５５９０の処理をなすものであり，「第２の中央サーバ１０８ａ」は，ブロック５５３１で，「第１の中央サーバ１０９」に「処方箋比較」ＸＭＬ文書を送信し，「第１の中央サーバ１０９」は，ブロック５５４８で，「処方箋比較」ＸＭＬ文書が有効であるかどうかを判定し，以後の処理を行う。
（エ）「第１の中央サーバ１０９」が「第２の中央サーバ１０８ａ」に送信するのは，ブロック５５５２の取り消しＵＲＬや，ブロック５５８８の完了用ＵＲＬなどであり，これをうけて「第２の中央サーバ１０８ａ」が何らかの処理をし，その結果を「第１の中央サーバ１０９」に戻すことなどは記載されていない。
（オ）つまり，【０３４５】〜【０３６５】段落の「注入実施工程」には，ｂの発明特定事項は記載されていない。
（カ）【０３６６】〜【０３７４】段落には，図５６を参照して「チャネルスキャン工程（注入実施工程用）」が記載されている。
（キ）【０３６６】〜【０３７４】段落の記載をみても，チャネルスキャン工程５５５４は，ブロック５６０２で，「第１の中央サーバ１０９」の「デジタルアシスタント１１８」へ表示することから始まり，「第１の中央サーバ１０９」と「デジタルアシスタント１１８」とで処理がなされ，「第２の中央サーバ１０８ａ」に取り消し用ＵＲＬに係るコードを送信するにとどまる。
（ク）つまり，【０３６６】〜【０３７４】段落の「チャネルスキャン工程（注入実施工程用））」には，ｂの発明特定事項は記載されていない。
（ケ）その他，【０３７５】〜【０３８７】段落の図５７Ａ，Ｂを参照した「ポンプチャネル変更工程」，【０３８８】〜【０３９３】段落の図５８などを参照した「チャネルスキャン工程」，【０３９４】〜【０４０２】段落の図５９などを参照した「チャネルスキャン工程（新たなチャネル）」，【０４０３】〜【０４１７】段落の図６０を参照した「注入停止／中止工程」，【０４１８】〜【０４２９】段落の図６１を参照した「注入再開工程」，【０４３０】〜【０４４３】段落の図６２を参照した「ポンプ除去工程」も同様にｂの発明特定事項は記載されていない。
（なお，図６０のサーバ２とサーバ１は他の図面の数字とは逆になっている。）
（２３）「暗号化通信工程」に関する記載について
（ア）【０４４４】段落以降には，「暗号化通信工程」に関する記載があるものの，図６３〜図６９の記載を参照して【０４７２】段落までの記載をみても，もっぱら「デジタルアシスタント１１８」と「第１の中央サーバ１０９」と「医療機器」との通信工程に関する記載がなされるのみであり，ｂの発明特定事項は記載されていない。
（イ）なお，【０４５５】には，「サーバ（例えば第１の中央サーバ１０９）上でひとたびユーザが認証されると，認証信任状を用いて別のサーバ（例えば第２の中央サーバ１０８ａ）上のデジタルアシスタント１１８を自動的に認証することができる。一例では，ユーザは，該ユーザが第１の中央サーバ１０９及び第２の中央サーバ１０８ａの両方で認証された場合にのみ認証することができる。従って，ユーザ名又はパスワードが生成若しくは修正される場合には必ず，ユーザ名及びパスワードは，第１の中央サーバ１０９と第２の中央サーバ１０８ａとの間で同期されるのが好ましい。」と記載され，【０４６８】段落にも同様の記載があるものの，ｂの発明特定事項は記載されていない。　
（２４）関連する特許出願の参酌
　本件出願と関連する特許出願である特願２００９−２３８７８０号は特許となっているところ，この特許は，つまり，
臨床家の携帯用リモートデバイスが生成する要求
　したがって，この関連する特許出願を参酌しても，ｂの発明特定事項は記載されていない。
（２５）総合判断
　以上（１）〜（２４）を総合しても，ｂの発明特定事項は記載されていない。
　
２．サポート要件についての結論
　以上，１．の（１）〜（２５）のとおりであるから，ｂの発明特定事項は発明の詳細な説明に記載したものではなく，特許法第３６条第６項第１号に規定する要件を満たしていない。
　
　
第５　進歩性についての当審の判断
１．引用例と引用発明とについて
（１）当審の拒絶理由通知で引用した「国際公開第２００１／０８８８２８号」（以下「引用例」という。）には，以下のことが記載されている。
（以下「引用例１摘記事項」という。）
（ア）「SUMMARY OF THE INVENTION 
　　　　Briefly, and in general terms, the present invention is directed to a new and improved information management system and method capable of monitoring, controlling and validating the administration of medical care delivery in a health care facility.
　　　　Generally, the system of the present invention includes a medical transaction carrier (MTC) that contains information concerning past and present medical transactions. The medical transaction carrier is used to transfer information relating to past and present medical transactions between a control system that is interfaced with various other care-giving institutional information systems, such as a pharmacy information system, or hospital information system, or physician order entry system, or a patient specific asset located at a patient's bedside. The information transferred by the medical transaction carrier is used to validate that the right medication and the parameters of the medication administration record are properly delivered to the right patient. As is well known by those skilled in the art, the medication administration record (MAR) is used by nurses to schedule medication administration. It is also used to document the actual administration of the medications. The medication order from the physician is recorded on the MAR, either by the pharmacy or the nurse staff members. As doses are administered, the nurse initials the corresponding time and records any additional required information (e.g. pulse rate, blood sugar). The MAR covers a specific period of time, typically 24 to 72 hours. The MAR is the legal record of drug administration, and it is kept as a permanent part of the patient's medical record. The system of the present invention includes methods for validating the information transferred by the medical transaction system to ensure that no information is lost.
　　　　The medical transaction carrier in accordance with one aspect of the present invention may be a personal data assistant (PDA), a laptop computer, a smart card, a BLUETOOTH transceiver, or other device capable of storing information and transporting the information from one location in a care-giving facility where medications are prepared for delivery to a patient's bedside. In another aspect, the medical transaction carrier may be primarily stationary and located at the patient's bedside. At the patient's bedside, the medical transaction carrier is interfaced to a patient specific asset (PSA), such as an infusion pump or vital signs monitor, and the information stored within the medical transaction carrier is communicated to the patient specific asset to provide the asset with specific treatment parameters to be used in delivering medication to the patient or in otherwise interacting with the patient.」
（５ページ２行〜６ページ６行）
（当審仮訳：発明の概要
　簡単に，そして一般的な用語で，本発明は
医療施設で医療の投与の監視，制御，および確認を行う
情報管理のシステム
　一般に，
本発明のシステムは
医療トランザクションキャリア（ＭＴＣ−ｍｅｄｉｃａｌ  ｔｒａｎｓａｃｔｉｏｎ  ｃａｒｒｉｅｒ）を含む
　本発明の一側面による
医療トランザクションキャリアは，携帯情報端末（ＰＤＡ−ｐｅｒｓｏｎａｌ  ｄａｔａ  ａｓｓｉｓｔａｎｔ）
としてもよい。
医療トランザクションキャリアは
患者特有のアセット（ＰＳＡ−ｐａｔｅｎｔ  ｓｐｅｃｉｆｉｃ  ａｓｓｅｔ）にインタフェースされ
（イ）「Referring now to drawings in which like reference numerals are used to refer to like or corresponding elements among the figures, there is generally shown in FIGURE 1 an integrated hospital-wide information and care management system in accordance with aspects of the present invention. Various subsystems of an facility's information management system are connected together by way of a communication system 5. The communication system 5 may be, for example, a local area network (LAN), a wide area network (WAN), Inter- or intranet based, or some other telecommunications network designed to carry signals allowing communications between the various information systems in the facility. For example, as shown in FIG. 1, the communication system 5 connects, through various interfaces 10, a hospital information system 20, a pharmacy information system 30, a physician order entry system 35, and a control system 40.」
（８ページ６行〜１７行）
（当審仮訳：図面では，図の中の同じまたは対応する要素を表すために同じ参照番号が使用される。図１に，本発明の側面による統合された病院全体にわたる情報と医療管理システムが全体的に示されている。施設の情報管理システムの種々の部分システムは通信システム５を経由して一緒に接続される。通信システム５はたとえば，施設内の種々の情報システムの間の通信を許す信号を伝えるように設計されたローカルエリアネットワーク（ＬＡＮ），広域エリアネットワーク（ＷＡＮ），インタネット型またはイントラネット型，または何か他の電気通信ネットワークとすることができる。たとえば，図１に示されるように，
通信システム５は種々のインタフェース１０を介して，病院情報システム２０，薬局情報システム３０，医師指示入力システム３５，および制御システム４０を接続する
（ウ）「The medical transaction carrier 110 generally refers to a device that contains medication and/or patient specific information that is portable such that it can be carried by a nurse or other care-giver to and from a patient's bedside. The MTC 110 may also have a storage capability and technology for interfacing with a computer system or network so that information may be communicated between the MTC 110 and other devices, such as computers, clinical devices and the like. The MTC 110 may, but not necessarily, include a processor.」
（１１ページ１行〜７行）
（当審仮訳：
医療トランザクションキャリア１１０は
携帯可能で
医療者が患者のベッドのそばへ，またそこから持ち運びできる機器
（エ）「In another embodiment, the MTC may comprise a pager device or a mobile telephone. Such devices would be particularly useful in a wireless environment, wherein the devices could be programmed to respond to signals from suitable transmitter/receivers located throughout the hospital.」
（１３ページ５行〜８行）
（当審仮訳：もう一つの実施例では，
ＭＴＣはページャ機器または移動電話を含んでもよい
病院じゅうに配置された適切な送信器／受信器からの信号に応答する
（オ）「A communication session to transfer medical transaction information for a particular patient into a MTC 110 is initiated by inserting the MTC 110 into an appropriate slot or cradle for the MTC 100 which is in operable communication with the control system 40 via the nurse station computer system 60 and communication system 5. Alternatively, the MTC 110 may communicate with the control system 40 using a wireless system. As described above, this wireless system may comprise either infrared or RF frequency signals using appropriate communication protocols such as BLUE TOOTH(TM) or others (such as those described in IEEE 802.11x).」　
（１９ページ３行〜１０行）
（当審仮訳：特定の患者に対する医療トランザクション情報をＭＴＣ１１０内に伝達するための通信セションは，看護師ステーションコンピュータシステム６０および通信システム５を介して制御システム４０と動作可能に通じている適合したスロットまたはＭＴＣクレードル１００にＭＴＣ１１０を挿入することにより開始される。代わりに，
ＭＴＣ１１０は無線システムを使用して制御システム４０と通信
（カ）「The MTC 110 may also query the PSA 120 for historical records stored in the memory of the PSA. In this process, information such as a current key log, error log, vital signs log, infusion delivery log, medication delivery log, transaction identification, maintenance log and other logs and/or other patient data may be transferred from the PSA 120 to the MTC 110.」
（２１ページ１６行〜２０行）
（当審仮訳：
ＭＴＣ１１０はＰＳＡのメモリに記憶された履歴レコードについてＰＳＡ１２０に問い合わせてもよい。このプロセスでは，現在のキーログ，誤りログ，生命徴候ログ，点滴投与ログ，薬物投与ログ，トランザクションＩＤ，保守ログ，および他のログや他の患者データのような情報をＰＳＡ１２０からＭＴＣ１１０へ伝達し
（キ）「Once the transfer of information and/or data from the MTC 110 to the control system 40 has been initiated in box 345, information stored in the MTC 110 representing such information as, for example, but not limited to, a current key log, an error log, vital signs log, infusion delivery log, medication delivery log, transaction ID, maintenance and other logs, and any other patient data is communicated to the control system 40, where it may be stored in a database 45 associated with the control system 40 in box 340. In this way, the medical transaction information communicated by the MCT 110 to the control system 40 may be permanently associated with a particular PSA. 
　　　Once the information contained within the MTC 110 has been transferred to the control system 40 in step 345, the currently cleared and transferred medical transaction information stored in the MTC 100 may be erased, as indicated in box 350. Alternatively, the information may be archived to storage media, such as magnetic tape, hard drives, floppy disks, and the like, as indicated in box 355.
　　　　The control system 40 executes software programs in box 350 that analyze the information recently received from the MTC 110 and communicate new information for present medication delivery transactions to the MTC 110. Such software programs may include re-validating the past interactions recorded in the MTC 110 against data already stored in the PSA database. Where the validation fails, an error signal may be generated by the control system 40 causing a display or paper report to be printed notifying nurses or other care-giving personnel that an error exists.
　　　　Additionally, the software running on the control system 40 may analyze newly entered medical transaction information, such as the name or type of drug, dosage and delivery parameters, for example, against standard delivery protocols stored in the hospital or pharmacy information systems 20, 30 as well as determining whether there are any drug interactions or other safety information, such as may be stored in database that should be brought to the care-giver's attention and/or stored in the MTC 110. The software provides for generating error signals or alerts if errors or safety problems are detected during this step. 
　　　　Once the current transaction data is analyzed, the control system 40 communicates the transaction information to the MTC 110. This information, as indicated in box 360, may include current medical transaction information and a unique transaction identification. This information is stored in the memory of the MTC 110 in box 365. 
　　　　As indicated by box 370, the software running on the control system 40 may, if desired, generate various reports such as outcome reports, medical administration records or any other report requested by care-giving personnel or administrators. Any errors identified during the generation of these reports would result in an error signal that may either be displayed on a screen or printed in a printed report. 
　　　　Additionally, as illustrated in box 375, the control system 40 may export all of the information transferred from the MTC 110 to the pharmacy information system 30 or hospital information system 20 for further processing or storage. Alternatively, the control system 40 may be programmed to export a selected portion of that data to those systems. Again, software running on the control system 40 may be executed to compare information stored on the various information systems 20, 30 and 35 with information gathered by the control system 40 and validate that the information is correct, with any failures in validation indicated by an error signal generated by the control system 40 to alert care-givers that a condition exists that may need attention and correction.」
（２３ページ２１行〜２５ページ９行）
（当審仮訳：ボックス３４５で
ＭＴＣ１１０から制御システム４０への情報やデータの伝達が開始
現在のキーログ，誤りログ，生命徴候ログ，点滴投与ログ，薬物投与ログ，トランザクションＩＤ，保守等のログ，および他の任意の患者データのような情報を表すＭＴＣ１１０に記憶された情報が制御システム４０に伝えられ
　ステップ３４５でＭＴＣ１１０の中に含まれる情報が制御システム４０に伝達されると，ボックス３５０に示されるように，現在クリアされ，伝達されたＭＴＣ１１０に記憶された医療トランザクション情報は消去してもよい。代わりに，ボックス３５５に示されるように，磁気テープ，ハードドライブ，フロッピー（Ｒ）ディスク等のような記憶媒体に保存してもよい。
　制御システム４０はボックス３５０でソフトウェアプログラムを実行し，ソフトウェアプログラムはＭＴＣ１１０から最近受信された情報を分析し，現在の薬物投与トランザクションに対する新しい情報をＭＴＣ１１０に伝える。このようなソフトウェアプログラムは，ＭＴＣ１１０に記録された過去の相互作用をＰＳＡデータベースに既に記憶されたデータと対比して再確認することを含んでもよい。確認が失敗した場合，制御システム４０は誤り信号を発生することにより，ディスプレイまたは紙リポートを印刷して，看護師または他の医療専門家に誤りが存在することを知らせてもよい。
　更に，
制御システム４０上で動作しているソフトウェアは
薬局情報システム３０に
安全情報があるか判定
安全情報は
ＭＴＣ１１０に記憶したりすべきデータベースに記憶してもよい
　現在のトランザクションデータが分析されると，制御システム４０はトランザクション情報をＭＴＣ１１０に伝える。ボックス３６０に示されるように，この情報は現在の医療トランザクション情報および特有のトランザクションＩＤを含んでもよい。ボックス３６５でこの情報はＭＴＣ１１０のメモリに記憶される。
　ボックス３７０で示されるように，制御システム４０上で動作しているソフトウェアは希望される場合，結果リポート，医療投与レコード，または医療専門家または管理者によって要求される他の任意のリポートのような種々のリポートを作成してもよい。これらのリポートの作成の間に識別されるどの誤りによっても，誤り信号が生じ，これは画面にディスプレイするか，印刷して印刷リポートとしてもよい。
　更に，ボックス３７５に示されるように制御システム４０は，ＭＴＣ１１０から伝達された情報の全てを薬局情報システム３０または病院情報システム２０にエクスポートし，更に処理または記憶されるようにしてもよい。その代わりに，制御システム４０はそのデータの選択された部分をそれらのシステムにエクスポートするようにプログラミングしてもよい。再び，
制御システム４０上で動作するソフトウェアを実行することにより
情報が正しいことを確認してもよく，確認の失敗は，制御システム４０によって作成される誤り信号によって示され，注意と是正を必要とする条件が存在するという警報が医療者に与えられる
　
（２）引用例１摘記事項（ア）〜（キ）によれば，引用例１には，以下の発明が記載されている。
（以下「
引用発明
「医療施設で医療の投与の監視，制御，および確認を行う情報管理のシステムであって，医療トランザクションキャリア（ＭＴＣ）が，患者特有のアセット（ＰＳＡ）とインタフェースするものであり，
　ＭＴＣは携帯情報端末（ＰＤＡ）であってよく，医療者が患者のベッドのそばへ，またそこから持ち運びでき，また，移動電話を含んでよく，病院じゅうに配置された適切な送信器／受信器からの信号に応答するものであり，
　ＭＴＣはＰＳＡのメモリに記憶された履歴レコードについてＰＳＡに問い合わせ，現在のキーログ，誤りログ，生命徴候ログ，点滴投与ログ，薬物投与ログ，トランザクションＩＤ，保守ログ，および他のログや他の患者データのような情報をＰＳＡからＭＴＣへ伝達し，
　ＭＴＣは無線システムを使用して制御システム４０と通信し，ＭＴＣから制御システム４０への情報やデータの伝達が開始されると，現在のキーログ，誤りログ，生命徴候ログ，点滴投与ログ，薬物投与ログ，トランザクションＩＤ，保守等のログ，および他の任意の患者データのような情報を表すＭＴＣに記憶された情報が制御システム４０に伝えられ，
　ここで，制御システム４０は通信システム５で接続された薬局情報システム３０の安全情報があるか判定し，安全情報は医療者の注意を引くように，ＭＴＣに記憶すべきデータベースに記憶し，
　制御システム４０上で動作するソフトウェアを実行することにより，情報が正しいことを確認し，確認の失敗は，制御システム４０によって作成される誤り信号によって示され，注意と是正を必要とする条件が存在するという警報が医療者に与えられる，
　情報管理のシステム。」　
　
２．対比
　引用発明と本願発明とを対比する。
（ア）引用発明のＰＳＡはＭＴＣにより無線システムを使用して制御システム４０と通信し，ＰＳＡの情報をＭＴＣから制御システム４０へ伝達する。伝達する情報は，現在のキーログ，誤りログ，生命徴候ログ，点滴投与ログ，薬物投与ログ，トランザクションＩＤ，保守等のログ，および他の任意の患者データのような情報である。
　ここで，引用発明の「ＰＳＡとインタフェース用のＭＴＣ」，「ＭＴＣが制御システム４０と通信する無線システム」，「制御システム４０」，及び伝達するＰＳＡの「情報」は，後記する点で相違するものの，本願発明の，「医療装置」，「ネットワーク」，「第１のサーバ」，及び「状況情報およびプログラミング情報」にそれぞれ相当する。
　ここで，ＰＳＡは，複数設けられ，ＭＴＣと無線システムを介して制御システム４０と通信することが明らかである。
　してみると，引用発明と本願発明とは，後記する点で相違するものの，「ネットワークに接続される複数の医療装置であって，通信が複数の医療装置のうちの１つによって開始され，ネットワーク上に転送され，通信が複数の医療装置のうちの１つのために少なくとも１つの状況情報およびプログラミング情報を有する，複数の医療装置」を有し，「ネットワークに接続される第１のサーバ」を有し，「複数の医療装置は，第１のサーバと通信」する点で共通する。
（イ）引用発明の制御システム４０は，通信システム５で接続された薬局情報システム３０の安全情報があるか判定する。
　引用発明の，「制御システム４０」，「通信システム５」，及び「薬局情報システム３０」は，後記する点で相違するものの，本願発明の，「第１のサーバ」，「ネットワーク」，及び「第２のサーバ」にそれぞれ相当する。
　してみると，引用発明と本願発明とは，後記する点で相違するものの，「ネットワークを介して第１のサーバと通信する第２のサーバ」を有する点で共通する。
（ウ）引用発明は，ＭＴＣがＰＳＡのメモリに記憶された履歴レコードについてＰＳＡに問い合わせ，現在のキーログ，誤りログ，生命徴候ログ，点滴投与ログ，薬物投与ログ，トランザクションＩＤ，保守ログ，および他のログや他の患者データのような情報をＰＳＡからＭＴＣへ伝達し，ＭＴＣから制御システム４０への情報やデータの伝達が開始されると，現在のキーログ，誤りログ，生命徴候ログ，点滴投与ログ，薬物投与ログ，トランザクションＩＤ，保守等のログ，および他の任意の患者データのような情報を表すＭＴＣに記憶された情報が制御システム４０に伝えられ，制御システム４０上で動作するソフトウェアを実行することにより，情報が正しいことを確認し，確認の失敗は，制御システム４０によって作成される誤り信号によって示され，注意と是正を必要とする条件が存在するという警報が医療者に与えられるものである。
　ここで，引用発明の，制御システム４０が医療者に与える警報は，後記する点で相違するものの，本願発明の，「第１のメッセージ」に相当する。
　この，警報は，ＰＳＡからＭＴＣを介して送信された情報に応じて制御システム４０が作成するものであり，注意と是正の警報を医療者に与えるものであるから，少なくともＰＳＡからＭＴＣを介して送信された情報の一部を含むことが明らかである。
　してみると，引用発明と本願発明とは，後記する点で相違するものの，「端末装置による要求と，イベントの発生とのうちの少なくとも一つに応じて，第１のメッセージが第１のサーバにより作成され，転送され，該第１のメッセージが，複数の医療装置のうちの１つにより開始される通信中に含まれる状況情報またはプログラミング情報の少なくとも一部を備え，ここで，第１のメッセージの少なくとも一部が，医療者に提供される」という点で共通する。
（エ）引用発明では，制御システム４０は通信システム５で接続された薬局情報システム３０の安全情報があるか判定し，安全情報は医療者の注意を引くように，ＭＴＣに記憶すべきデータベースに記憶するものである。
　つまり，薬局情報システム３０は，制御システム４０の求めに応じて，安全情報を通信システム５で提供する。
　この，「安全情報」は，本願発明の「第２のメッセージ」に相当する。
　してみると，引用発明と本願発明とは，後記する点で相違するものの，「第２のメッセージが第２のサーバによって作成され，第２のメッセージが，少なくとも部分的に，第１のサーバからの要求に応じて作成され，メッセージが，第２のネットワーク上で第１のサーバに送信」され，「医療者に注意喚起する」という点で共通する。
　
　以上（ア）〜（エ）のことから，引用発明と本願発明とは，以下の点で一致し，また相違する。　
　
［一致点］
「ネットワークに接続される複数の医療装置であって，通信が複数の医療装置のうちの１つによって開始され，ネットワーク上に転送され，通信が複数の医療装置のうちの１つのために少なくとも１つの状況情報およびプログラミング情報を有する，複数の医療装置と，
　ネットワークに接続される第１のサーバと，
　ネットワークを介して第１のサーバと通信する第２のサーバであって，複数の医療装置は，第１のサーバと通信する第２のサーバと，
　を備え，
　端末装置による要求と，イベントの発生とのうちの少なくとも一つに応じて，第１のメッセージが第１のサーバにより作成され，転送され，第１のメッセージが，複数の医療装置のうちの１つにより開始される通信中に含まれる状況情報またはプログラミング情報の少なくとも一部を備え，ここで，第１のメッセージの少なくとも一部が，医療者に提供され，
　第２のメッセージが第２のサーバによって作成され，第２のメッセージが，少なくとも部分的に，第１のサーバからの要求に応じて作成され，メッセージが，第２のネットワーク上で第１のサーバに送信され，医療者に注意喚起する，
　システム。」
　
［相違点１］
　本願発明では，「ネットワークに接続され，ディスプレイを有する端末装置」を有し，「ネットワーク上で転送」された「第１のメッセージの少なくとも一部」を，「人間が読み取り可能な形式でディスプレイ上に提供」するものであり，さらに，「第２のメッセージ」が，「ネットワーク上で少なくとも端末装置に送信」されるものであるのに対し，引用発明では，ネットワークに無線通信接続されるＭＴＣを有するものの，このＭＴＣは，注意と是正の警報に関して，「ネットワーク上で転送された第１のメッセージの少なくとも一部を，人間が読み取り可能な形式でディスプレイ上に提供」したり，医療者への注意喚起に関して，「第２のメッセージが，ネットワーク上で少なくとも端末装置に送信」されたりするものではなく，後者の点については，第２のメッセージはＭＴＣに記憶したりするべきデータベースに記憶されるにとどまる点。
　なお，「ネットワーク」に係る相違点は［相違点２］として整理する。
［相違点２］
　本願発明では，「複数の医療装置と第１のサーバとに接続されるハブ」を有し，「複数の医療装置」は，「ハブを介して第２のサーバから分離」され，「第２のサーバが，ハブと，第２のネットワークと，第１のサーバと，第１のネットワークとを介して，複数の医療装置と端末装置とから分離」されているのに対して，引用発明では「ハブ」を有さず，「複数の医療装置」が，「ハブを介して第２のサーバから分離」されたり，「第２のサーバが，ハブと，第２のネットワークと，第１のサーバと，第１のネットワークとを介して，複数の医療装置と端末装置とから分離」されたりしているものではない点。
　
３．判断
［相違点１］について
（ア）引用発明のＭＴＣは医療者が携帯可能なものであって，ＰＤＡのような手持ち式の携帯情報端末であってよく，ページャ機器を含み病院じゅうに配置された送信器／受信器に応答するものであってよい。　
（イ）病院内で医療者へ警報し，又は注意喚起する際，医療者の携帯情報端末へ警報や注意を送信することは，周知の技術的事項である。　
（以下「周知の技術的事項Ａ」という。）　
　例えば，特開２００２−１８６５９０号公報（以下「周知例１」という。）の【００４７】段落には，透析装置の警告を，「警報装置を無線の呼出信号を出力可能に構成すると共に，この
呼出信号を受信することにより警報動作を行う携帯型呼出端末を設けた場合には，看護婦等に携帯型呼出端末を所持させることで，居場所に拘わらず異常があった旨を看護婦等に報知できる
　例えば，特開平０４−１６１１３９号公報（以下「周知例２」という。）の「特許請求の範囲」には，「治療指示書に示される治療指示に必要なデータが入力される中央監視装置と，患者の生体機能の情報および
治療機器の動作状態を監視し
異常発生時に
機器アラーム信号を上記中央監視装置に送出するベッドサイドモニタと
機器アラーム信号の受信時に，上記中央監視装置においてアラームを発するアラーム発生手段
機器アラームの発生時にこれらアラームに対応した呼出し信号を無線信号により発信する送信手段
看護婦が携帯し，上記送信手段からの呼出し信号の受信時に該呼出し信号の種別に対応したアラームを発する
（ウ）してみると，引用発明において，制御システム４０が医療者に注意と是正の警報を与える際，医療者への通知の手段に周知の技術的事項Ａを適用することにより，医療者が持ち運ぶＰＤＡに注意と是正の警報を送信し，これを表示するよう構成することは，当業者が容易に想到することができたものである。
（エ）また，制御システム４０のデータベースに記憶される情報で医療者へ注意喚起する際，医療者への通知の手段に周知の技術的事項Ａを適用することにより，医療者が持ち運ぶＰＤＡに注意喚起を送信するよう構成することもまた，当業者が容易に相当することができたものである。
（オ）以上（ア）〜（エ）のことから，注意と是正の警報に関する第１のメッセージをネットワーク上で端末装置に送信してディスプレイに表示するよう構成し，医療者への注意喚起に関する第２のメッセージをネットワーク上で端末装置に送信するよう構成すること，つまり，「ネットワークに接続され，ディスプレイを有する端末装置」を有し，「ネットワーク上で転送」された「第１のメッセージの少なくとも一部」を，「人間が読み取り可能な形式でディスプレイ上に提供」するよう構成し，さらに，「第２のメッセージ」が，「ネットワーク上で少なくとも端末装置に送信」されるよう構成し，もって［相違点１］に係る発明特定事項の構成とすることは，当業者が容易に想到することができたものである。　
　
［相違点２］について
（ア）病床などの医療現場で用いられる医療装置と，これと接続するサーバとをハブを介して接続することは周知の技術的事項である。　
（以下「周知の技術的事項Ｂ」という。）
　例えば，特開平１１−２７２７８０号公報（以下「周知例３」という。）の【００１８】段落には，「本実施の形態に係る病床情報端末システムは，図１に示すように，ナースステーションに設置される医療データサーバ１と，各患者の病床に設置される病床用情報端末装置２とから構成される。そして，
医療データサーバ１と各病床用情報端末装置２１〜２ｎとはハブ３を介して接続
　例えば，特開平１１−２９６５９２号公報（以下「周知例４」という。）の【００１６】段落には，「この医療・介護支援システム10は，システム全体を統括するシステム制御装置としてのサーバ11と，
ハブ12を介して該サーバ11と接続された複数の専用端末装置13
（イ）してみると，引用発明の「インタフェース用のＭＴＣ」が「制御システム４０」と通信する際，周知の技術的事項Ｂを適用することにより，「インタフェース用のＭＴＣ」と「制御システム」とが「ハブ」を介して通信するよう構成し，もって本願発明の「複数の医療装置と第１のサーバとに接続されるハブ」を有する構成とすることは，当業者が容易に想到することができたものである。
（ウ）端末装置とサーバとをつなぐローカルなネットワークと，このサーバと通信する他のサーバとをつなぐサーバ間のネットワークとを，サーバを介して分離することは周知の技術的事項である。
（以下「周知の技術的事項Ｃ」という。）
　例えば，特開平１１−２９６５９２号公報（以下「周知例５」という。）には，専用端末装置１３を有する
医療・介護支援システム１０のサーバ１１
が，外部医療事務システム２０とのデータ通信の交通整理をするためのデータを一時格納するトランザクションファイルを有するシステム制御部５０を有する
オンラインで外部医療事務管理システム20のデータが引き出され，本システムに適合したデータ形式に変換された上で専用端末装置13の画面に表示される。あるいは，外部医療事務管理システム20の通信フォーム（プロトコルも含む）に従ってデータを送受信し，以て外部医療事務管理システム20側のデータを取り出すようプログラムしておいてもよい
（エ）してみると，引用発明の，「制御システム４０が薬品の安全情報を判定してデータベースに記憶するための，制御システム４０と薬局情報システム３０とをつなぐ通信システム５」，つまり「サーバ間のネットワーク」と，「制御システム４０に記憶されたメッセージをＭＴＣに記憶するための，制御システム４０とＭＴＣとをつなぐ通信のネットワーク」，つまり「ローカルなネットワーク」とを接続する「制御システム４０」に，周知の技術的事項Ｃのサーバの構成を適用することにより，「制御システム４０」を介して，「ローカルなネットワーク」と「サーバ間のネットワーク」とを分離するよう構成すること，つまり，薬局情報システム３０を，通信システム５，制御システム４０を介して，ＭＴＣなどと通信するネットワークと分離するよう構成することは，当業者が容易に相当することができたものである。
　つまり，引用発明に周知の技術的事項Ｃを適用することにより，本願発明の，第２のサーバ１０８ａを第２のネットワークと第１のサーバ１０９とを介して第１のネットワークや医療機器と分離するよう構成することは，当業者が容易に想到することができたものである。
　以上，（ア）〜（エ）のことから，「複数の医療装置と第１のサーバとに接続されるハブ」を有するよう構成し，「複数の医療装置」は，「ハブを介して第２のサーバから分離」され，「第２のサーバが，ハブと，第２のネットワークと，第１のサーバと，第１のネットワークとを介して，複数の医療装置と端末装置とから分離」するよう構成し，もって［相違点２］に係る発明特定事項の構成とすることは，当業者が容易に想到することができたものである。
　
　ここで，
審判請求人の意見書の主張
　平成２５年２月２６日の意見書によれば，請求人は，つまり，顕著な効果として第１のサーバがゲートウェイの働きを果たすこと，【０２１９】段落のように潜在的な過誤の源を回避することを主張する。（意見書２０ページ下から１２行〜下から８行）　
（ａ）「第１のサーバがゲートウェイの働きを果たす」との主張に関して，以下に検討する。
　発明の詳細な説明の【００３１】には，「別の実施形態では，中央コンピュータは，第１のサーバ及び第２の別個のサーバを備える。第１と第２のサーバは，ファイアウォールによって分離されており，中央コンピュータの中央妥当性確認部分は，第１のサーバ内に常駐し，中央コンピュータの第２の非妥当性確認部分は，第２のサーバ上に常駐する。」と記載されている。
　仮に，「第２のネットワークと第１のネットワークとが分離されている」との事項が，「ファイアウォールによって分離」するものであって，「セキュリティの確保」のためであるとしても，セキュリティを確保するために所定のネットワークを他のネットワークから切り離すべく，ファイアウォールを設けることは普通に行われており，仮に，そのような構成であるとしても，当業者想到容易である。
（ｂ）仮に，審判請求人の，「第１のサーバがゲートウェイの働きを果たす」との主張が，「第１のネットワークのプロトコルと第２のネットワークのプロトコルとが異なる」ことであるとする。
　仮に，請求項１発明がそのようなことを特定するとしても，薬局のシステム等と連係するネットワークのプロトコルと，端末装置や医療機器と連係するネットワークとのプロトコルとは，前者がサーバ間のネットワークであって後者がローカルなネットワークであり，このようなネットワークのプロトコルを異なるものとすることは，設計上の必要性に応じて当業者が適宜選択しうる設計的事項であり，やはり当業者想到容易である。
　ちなみに，周知例５のサーバもプロトコルを変換することが記載されている。（周知例５の【００４９】段落の記載を参照。）
（ｃ）審判請求人は【０２１９】段落を引用するので，さらに検討する。
　審判請求人が，潜在的な過誤について引用する【０２１９】段落には，以下の記載がある。
「システムプログラム２１０の１つの利点は，医療機器３３２をプログラムするのに運転パラメータを利用できるようになる前に，医療機器３３２に対する運転パラメータが，デジタルアシスタント１１８又は遠隔位置のどのような他のコンピュータも通過する必要がない点である。遠隔位置のコンピュータをバイパスすることは，患者１１２へ薬剤１２４を投与するにあたっての潜在的な過誤の源を排除する。医療機器３３２に対する運転パラメータは，様々な検証が達成されると仮定すれば，医療機器３３２へ「直接」送ることができる。この脈絡において，「直接」とは，デジタルアシスタント１１８又は遠隔位置のどのような他のコンピュータも通過することなく運転パラメータを医療機器へ送ることができることを意味する」
　当該【０２１９】段落を含む【０２１４】段落以降の（薬剤投与）の場面で，システムプログラム２１０が用いられることにより，医療機器へデジタルアシスタント１１８や遠隔地のどのような他のコンピュータをも通過することなく運転パラメータを医療機器に送ることができることが，確かに記載されている。
　仮に，「第２のネットワークと第１のネットワークとが分離されている」との事項が，「医療機器へデジタルアシスタント１１８や遠隔地のどのような他のコンピュータを通過することなく運転パラメータを医療機器に送る」との事項であるとする。
　発明の詳細な説明には，さらに，以下の記載がある。
「【０１２８】当業界における重大な関心事は，正しい薬剤が正しい患者に投与されることである。従って，注入システム２１０は，正しい薬剤が正しい患者に対して効率的な方法で投与されることを保証するのを支援するための特徴を含む。注入システム２１０は，ソフトウェア，ファームウェア，ハードウェア，又はそれらの組み合わせ内に実装することができる。１つの様式では，注入システム２１０は，実行可能プログラムとしてソフトウェア内に実装され，パーソナルコンピュータ（ＰＣ；ＩＢＭ−互換ＰＣ，Ａｐｐｌｅ互換ＰＣ，その他），パーソナルデジタルアシスタント，ワークステーション，ミニコンピュータ，又はメインフレームコンピュータのような１台又はそれ以上の特殊用途デジタルコンピュータ又は汎用デジタルコンピュータによって実行される。注入システム２１０を実装することのできる汎用コンピュータの一例を，図２に示す。注入システム２１０は，限定するものではないが，薬局のコンピュータ１０４，中央システム１０８，投薬治療用カート１３２，及びデジタルアシスタント１１８などの任意のコンピュータ内に常駐することができるか，又は，その内部に常駐する様々な部分を有することができる。従って，図２のコンピュータ２００は，注入システム２１０が内部に常駐又は部分的に常駐するいずれかのコンピュータを代表するものである。」
　つまり，注入システム２１０（システムプログラム２１０）は，薬局のコンピュータ１０４，中央システム１０８，投薬治療用カート１３２，及びデジタルアシスタント１１８などの任意のコンピュータ内に常駐することができるものであり，医療機器へデジタルアシスタント１１８や遠隔地のどのような他のコンピュータを通過することなく運転パラメータを医療機器に送ることができるのは，注入システム２１０（システムプログラム２１０）が，薬局のコンピュータ１０４にも中央システム１０８にもデジタルアシスタント１１８にも常駐しないような，例えば投薬治療用カート１３２内に常駐する場合などである。
　しかし，本願発明の発明特定事項には，そのような状況は特定されていないことが明らかであり，審判請求人の主張は，特許請求の範囲の記載に基づかないものであるから，これを採用することはできない。
　
　以上のとおりであるから，本願発明における上記［相違点１］，［相違点２］に係る発明特定事項は当業者が容易に想到することができたものであり，相違点を総合しても，想到することが困難な格別の事項は見いだせない。  
　そして，本願発明の作用効果も，引用発明及び周知の技術的事項から当業者が予測できる範囲のものである。 
 
４．進歩性についての結論
　以上，１．〜３．のことから，本願発明は，引用発明及び周知の技術的事項に基づいて，当業者が容易に発明をすることができたものであるから，特許法第２９条第２項の規定により特許を受けることができない。
　
第５　むすび
　以上のとおり，本件出願は，特許請求の範囲の記載が特許法第３６条第６項第１号に規定する要件を満たしていないものである。 
　また，本願発明は，引用発明及び周知の技術的事項に基づいて，当業者が容易に発明をすることができたものであり，特許法第２９条第２項の規定により特許を受けることができない。 
　したがって，本願は，その余の請求項について判断するまでもなく拒絶すべきものである。  
 　 
 　よって，結論のとおり審決する。